(57)【要約】【課題】  エレベータの移動作業床にガイドレールを複数本搭載可能とし、ガイドレール取付場所とガイドレール仮置き場所との間の運転回数を少なくし、且つガイドレール吊り上げ回数を少なくするとともに、昇降路内構造物にガイドレールがぶつからないようにしたエレベータのガイドレール搭載用移動作業床を得る。【解決手段】  エレベータかご枠１に設けられた下部移動作業床４と、下部移動作業床の上方に設けられた上部移動作業床６と、上部移動作業床に設けられたガイドレール取り入れ口８とを備え、ガイドレール取り入れ口から挿入されたガイドレール１０の下端部を下部移動作業床４に載置し、且つガイドレール１０の中間部をガイドレール取り入れ口８に当接されるようにする。【選択図】    図１
2005178947.tif 000002
【特許請求の範囲】
【請求項１】
エレベータかご枠に設けられた下部移動作業床と、
前記下部移動作業床の上方に設けられた上部移動作業床と、
前記上部移動作業床に設けられたガイドレール取り入れ口とを備え、
前記ガイドレール取り入れ口から挿入されたガイドレールの下端部を前記下部移動作業床に載置し、且つガイドレールの中間部を前記ガイドレール取り入れ口に当接されることを特徴とするエレベータのガイドレール搭載用移動作業床。
【請求項２】
エレベータかご枠に設けられた移動作業床と、
前記移動作業床の上方に設けられた保護天井と、
前記保護天井に設けられたガイドレール取り入れ口とを備え、
前記ガイドレール取り入れ口から挿入されたガイドレールの下端部を前記移動作業床に載置し、且つガイドレールの中間部を前記ガイドレール取り入れ口に当接されることを特徴とするエレベータのガイドレール搭載用移動作業床。
【請求項３】
ガイドレール取り入れ口に、この取り入れ口を開閉自在に塞ぐ蓋体を設けたことを特徴とする請求項１又は請求項２記載のエレベータのガイドレール搭載用移動作業床。
【請求項４】
ガイドレール取り入れ口を複数設けたことを特徴とする請求項１〜請求項３のいずれかに記載のエレベータのガイドレール搭載用移動作業床。
【発明の詳細な説明】
【技術分野】
【０００１】
この発明は、ガイドレールの取り付け、取り外しを行う際に用いられるエレベータのガイドレール搭載用移動作業床に関するものである。
【背景技術】
【０００２】
従来のエレベータガイドレールの敷設方法においては、ガイドレールを１本づつ昇降路壁面に取り付けたり、取り外したりしていたため、ガイドレールをウインチで１本づつ持ち上げたり、降ろしたりしていた。
また、他の従来技術としては、エレベータのガイドレール敷設に掛かる作業費の低減を図れるとともに、作業効率を向上できるようにしたエレベータのガイドレール敷設方法（例えば、特許文献１参照）や、昇降路内へのガイドレールの搬入が乗場出入口から簡便にできて、そのガイドレールを乗場出入口近傍で楽に且つ安全に吊り下げながら連結して行く作業を支援できるエレベータ用ガイドレール付設作業支援装置（例えば、特許文献２参照）がある。
【０００３】
【特許文献１】特開２０００−２３３８８０号公報
【特許文献２】特開平５−３３０７５８号公報
【発明の開示】
【発明が解決しようとする課題】
【０００４】
従来のエレベータガイドレールの敷設方法では、ガイドレールをウインチで１本づつ持ち上げたり、降ろしたりしていたので、据付作業に時間がかかり過ぎていた。
また、特許文献１、２に記載のものは、エレベータの移動作業床を利用するものではないため、昇降路に作業足場を設置したり、ガイドレール付設作業支援装置を用意しなければならないという問題があった。
【０００５】
この発明は、上述のような課題を解決するためになされたもので、第１の目的は、エレベータの移動作業床にガイドレールを複数本搭載可能とし、ガイドレール取付場所とガイドレール仮置き場所との間の運転回数を少なくし、且つガイドレール吊り上げ回数を少なくするとともに、昇降路内構造物にガイドレールがぶつからないようにしたエレベータのガイドレール搭載用移動作業床を提供するものである。
【課題を解決するための手段】
【０００６】
この発明に係るエレベータのガイドレール搭載用移動作業床は、エレベータかご枠に設けられた下部移動作業床と、下部移動作業床の上方に設けられた上部移動作業床と、上部移動作業床に設けられたガイドレール取り入れ口とを備え、ガイドレール取り入れ口から挿入されたガイドレールの下端部を下部移動作業床に載置し、且つガイドレールの中間部をガイドレール取り入れ口に当接されるようにしたものである。
【０００７】
また、エレベータかご枠に設けられた移動作業床と、移動作業床の上方に設けられた保護天井と、保護天井に設けられたガイドレール取り入れ口とを備え、ガイドレール取り入れ口から挿入されたガイドレールの下端部を移動作業床に載置し、且つガイドレールの中間部をガイドレール取り入れ口に当接されるようにしたものである。
【発明の効果】
【０００８】
この発明は、エレベータかご枠に設けられた下部移動作業床と、下部移動作業床の上方に設けられた上部移動作業床と、上部移動作業床に設けられたガイドレール取り入れ口とを備え、ガイドレール取り入れ口から挿入されたガイドレールの下端部を下部移動作業床に載置し、且つガイドレールの中間部をガイドレール取り入れ口に当接されるようにしたので、エレベータの移動作業床にガイドレールを複数本搭載可能とし、ガイドレール取付場所とガイドレール仮置き場所との間の運転回数を少なくし、且つガイドレール吊り上げ回数を少なくし、据付作業時間を短縮することができる。また、昇降路内構造物にガイドレールがぶつからないという効果がある。
【発明を実施するための最良の形態】
【０００９】
実施の形態１．
図１はこの発明の実施の形態１におけるエレベータのガイドレール搭載用移動作業床の構成を示す斜視図、図２及び図３はこの発明の実施の形態１におけるガイドレール搭載用移動作業床の上部のガイドレール取り入れ口の構成を示す斜視図であり、図２はガイドレール取り入れ口の蓋体を開けた使用状態、図３はガイドレール取り入れ口の蓋体を閉じた不使用状態をそれぞれ示す。
【００１０】
図１において、１はエレベータかご枠で、左右に縦方向に対向して設けられた立枠２と、この立枠２間の上下部に架設された横枠３とで口字状に構成されている。４は左右の立枠２間の下部で且つ下部横枠３上に設けられた下部移動作業床、５はこの下部移動作業床４の周囲に立設された柵等からなる下部囲い、６は左右の立枠２間の上部で且つ上部横枠３上に設けられた保護天井を兼ねる上部移動作業床、７は上部移動作業床６の周囲に立設された柵等からなる上部囲い、８は保護天井を兼ねる上部移動作業床６に設けられた複数のガイドレール取り入れ口、９はガイドレール取り入れ口８を開閉自在に塞いでいる蓋体、１０は上部移動作業床６のガイドレール取り入れ口８からそれぞれ挿入されたガイドレールである。そして、このガイドレールは、その下端部が下部移動作業床４上に載置され、上端部が上部移動作業床６のガイドレール取り入れ口８から上方に突出して配置され、且つその中間部がガイドレール取り入れ口８に当接して、その動きを規制されているのである。したがって、ガイドレール１０を搭載した上下移動作業床４、６が昇降路内を昇降する際に、ガイドレール１０が昇降路内構造物にぶつかることがない。なお、図中、１１はかご枠１の上部に設けられた吊り下げロープである。
【００１１】
このように構成されたエレベータのガイドレール搭載用移動作業床においては、ガイドレールを取り付けのために搭載する時は、上下移動作業床４、６を昇降路内下部まで下降させ、例えば、最下階の乗場出入口（図示せず）より、ガイドレール１０の下端部を、蓋体９を開いた状態のガイドレール取り入れ口８から挿入し、下部移動作業床４上に載置する。この時、ガイドレール１０の上端部は、その中間部がガイドレール取り入れ口８の周縁部に当接して、その動きを規制されているので、ガイドレール１０が昇降路内構造物にぶつかることがない。この状態で上下移動作業床４、６を上昇させて、ガイドレール１０を昇降路の取り付け場所まで運ぶことができる。
なお、ガイドレール取り入れ口８は不使用時には、図３に示すように、蓋体９で閉塞されるので、上部移動作業床６として作業者が乗って使用することが可能である。
また、ガイドレール１０を取り外す時は、上下移動作業床４、６を昇降路のガイドレール取り外し場所まで吊り上げ、各ガイドレール１０を取り外した後、ガイドレール１０を上記と同様の要領で上下移動作業床４、６に搭載した上で、昇降路底部まで下降し、ガイドレール１０の仮置き場所に降ろすことになる。
【００１２】
実施の形態２．
上記実施の形態１では、上部囲い７を立設した保護天井を兼ねる上部移動作業床６にガイドレール取り入れ口８を設けたが、上部移動作業床６が不要であれば、上部囲い７がなく、しかも作業者が乗らない保護天井に、ガイドレール取り入れ口８を設けたものであっても、実施の形態１と同様の効果が得られる。
【図面の簡単な説明】
【００１３】
【図１】この発明の実施の形態１におけるエレベータのガイドレール搭載用移動作業床の構成を示す斜視図である。
【図２】この発明の実施の形態１におけるガイドレール搭載用移動作業床の上部のガイドレール取り入れ口を蓋体を開けた使用状態で示す斜視図である。
【図３】この発明の実施の形態１におけるガイドレール搭載用移動作業床の上部のガイドレール取り入れ口を蓋体を閉じた不使用状態で示す斜視図である。
【符号の説明】
【００１４】
１  エレベータかご枠
２  立枠
３  横枠
４  下部移動作業床
５  下部囲い（柵）
６  上部移動作業床（保護天井）
７  上部囲い（柵）
８  ガイドレール取り入れ口  
９  蓋体  
１０  ガイドレール  
１１  吊り下げロープ  
【図１】
2005178947.tif 000003
【図２】
2005178947.tif 000004
【図３】
2005178947.tif 000005